(57)【特許請求の範囲】
【請求項１】
目盛付きガイド体と、取手付き押え板と、前記押え板の下辺部の裏面部に前記ガイド体に対し直角状に装着せしめた突き当て体とから構成されている丸鋸定規ガイドカッターにおいて、前記ガイド体寄りの前記突き当て体の一端部に、回動基軸部を突設し、他方前記突き当て体の他端部に、前記押え板の内側部に設けた細長状誘導窓孔部より前記押え板の上面に突出する角度調整スライド体を取着せしめ、角度目盛が表示された角度目盛表示部と寸勾配目盛が表示された勾配尺目盛表示部が前記突き当て体から前記目盛付きガイド体に至る押え板の上面に円弧状に表示され、前記角度目盛表示部と勾配尺目盛表示部の近傍に窓孔が形成されていると共に、所望する勾配角度で被切断物を切断するには、前記突き当て体を前記角度調整スライド体をつまんでスライドさせ、他方前記突き当て体を前記ガイド体に対し、直角状の位置に復帰せしめると、嵌着部が嵌合もしくは嵌着し、嵌合後は前記回動基軸部と前記角度調整スライド体とを緊締し、前記突き当て体の上面部と押え板の裏面部とが密着し、前記回転基軸部が、弛緩もしくは緊締せしめることができると共に、前記角度調整スライド体も弛緩もしくは緊締せしめることができる構造とし、前記押え板の内側部に形成の誘導窓孔部が、前記角度調整スライド体のスライドがスムーズに回動可能な円弧状にて形成され、前記突き当て体側に嵌合凹部を、前記押え板側に嵌合凹部に嵌合する凸部を夫々設けることを特徴とする丸鋸定規ガイドカッター。
【発明の詳細な説明】
【技術分野】
【０００１】
本発明は、電動丸鋸を案内しつつ同丸鋸等により、外壁ボードや木製板等（以下、板材等という）を直角に、又は所望の角度方向に、正確に切断する丸鋸定規ガイドカッターの技術分野に関する。
【背景技術】
【０００２】
丸鋸による板材の切断に際しては、押え板に水平配置の水平当接部と目盛付き切断案内定規ガイド体と押え板を備えた丸鋸用ガイド定規が公知である。
【０００３】
例えば、実用新案登録第３１２１５１３号登録実用新案公報の請求項１記載の考案の丸鋸用ガイド定規は、押え板１の一端に、丸鋸による切断をガイドする切断案内用定規２が垂直方向に取り付けられていると共に、前記押え板１の下端に水平当接部３が水平方向に取り付けられているＬ型状のガイド定規であって、角度目盛４が表示された角度目盛表示部５が、前記押え板１の上面１０に設けられていること、請求項２記載の考案の丸鋸用ガイド定規は、前記角度目盛表示部５が、水平当接部３から切断案内定規２に至る押え板１の上面１０において、角度目盛４が０度〜９０度の範囲で、円弧状に表示されて成ること、請求項３記載の考案の丸鋸用ガイド定規は、前記水平当接部３と切断案内定規２が直交する位置に、０数字で表示した基準点Ｐが記されていることを特徴とするとの考案が開示されている（当該公報の図１、２，５Ａ参照）。
【先行技術文献】
【特許文献】
【０００４】
【特許文献１】実用新案登録第３１２１５１３号登録実用新案公報
【発明の概要】
【発明が解決しようとする課題】
【０００５】
上記実用新案登録第３１２１５１３号の登録実用新案公報に開示され丸鋸用ガイド定規によれば、丸鋸を使用して板材等を直角に正確に切断できると共に、板材等を所望の角度以内の鋭角（０度と９０度の間の大きさの角）にて板材等を切断する際には、角度目盛表示部の角度目盛を利用して印を付け、その印に従って切断案内定規を傾斜状態に位置決め固定し、板材等を所望の角度で正確に切断するものであって、前記水平当接部が前記切断案内定規に対し直角状態に固定（固着）されており、前記水平当接部を０度から９０度以内の角度を求めるのに、前記水平当接部と前記切断案内定規の直角部の基準点（Ｐ）の部位を支点にして、前記水平当接部を回動スライドさせることができない構造であった。
【０００６】
そのため、従来公知の実用新案登録公報の丸鋸用ガイド定規は、構成部材である前記切断案内用定規を前記水平当接部に対し、正確且つ迅速に鋭角を割り出し、被切断物である板材等の切断作業等を簡単にして、且つ迅速に切断処理作業ができにくかった。
【０００７】
しかるに、本発明の丸鋸定規ガイドカッターは、構成部材の１つである突き当て体が、他の構成部材であるガイド体に対し、被切断物に対する所望の傾斜角度である鋭角を極めて簡単にして、且つ迅速に求めることができるようにした。
【０００８】
さらに、本発明の丸鋸定規ガイドカッターは、前記構成部材の１つである突き当て体が、極めて簡単にして、且つ迅速に所望の勾配角度にスライドさせることができるようにした。
【０００９】
また、本発明の丸鋸定規ガイドカッターは、所望する勾配角度にて作業終了後、突き当て体を押え板の下辺部方向に戻すと嵌着部同士が嵌着もしくは嵌合し合い、さらに角度調整スライド体を緊締することによって、突き当て体が直角状（９０度）に確実且つ簡単に復元できると共に、前記角度調整スライド体の締め付けによって突き当て体と押え板とが固定されるという優れた利点を多数併有するようにした。
【課題を解決するための手段】
【００１０】
上記課題を解決するための手段として、請求項１記載の丸鋸定規ガイドカッターは、目盛１ａ付きガイド体１と、取手３付き押え板２と、前記押え板２の下辺部２ａの裏面部２ｂに前記ガイド体１に対し直角状に装着せしめた突き当て体４とから構成されている丸鋸定規ガイドカッターａにおいて、前記ガイド体１寄りの前記突き当て体４の一端部４ａに、回動基軸部５を突設し、他方前記突き当て体４の他端部４ｂに、前記押え板２の内側部に設けた細長状誘導窓孔部７より前記押え板２の上面に突出する角度調整スライド体６を取着せしめ、角度目盛８が表示された角度目盛表示部９と寸勾配目盛１０が表示された勾配尺目盛表示部１１が前記突き当て体４から前記目盛１ａ付きガイド体１に至る押え板２の上面２ｃに円弧状に表示され、前記角度目盛表示部９と勾配尺目盛表示部１１の近傍に窓孔１２が形成されていると共に、所望する勾配角度で被切断物を切断するには、前記突き当て体４を前記角度調整スライド体６をつまんでスライドさせ、他方前記突き当て体４を前記ガイド体１に対し、直角状の位置に復帰せしめると、嵌着部が嵌合もしくは嵌着し、嵌合後は前記回動基軸部５と前記角度調整スライド体６とを緊締し、前記突き当て体４の上面部４ｄと押え板２の裏面部２ｂとが密着し、前記回転基軸部５が、弛緩もしくは緊締せしめることができると共に、前記角度調整スライド体６も弛緩もしくは緊締せしめることができる構造とし、前記押え板２の内側部に形成の誘導窓孔部７が、前記角度調整スライド体６のスライドがスムーズに回動可能な円弧状にて形成され、前記突き当て体４側に嵌合凹部１３、１３ａを、前記押え板２側に嵌合凹部１３、１３ａに嵌合する凸部１４、１４ａを夫々設けることを特徴とする。
【発明の効果】
【００１１】
請求項１に記載の発明は、目盛付きガイド体と、取手付き押え板と、前記押え板の下辺部の裏面部に前記ガイド体に対し直角状に装着せしめた突き当て体とから構成されている丸鋸定規ガイドカッターにおいて、前記ガイド体寄りの前記突き当て体の一端部に、回動基軸部を突設し、他方前記突き当て体の他端部に、前記押え板の内側部に設けた細長状誘導窓孔部より前記押え板の上面に突出する角度調整スライド体を取着せしめ、角度目盛が表示された角度目盛表示部と寸勾配目盛が表示された勾配尺目盛表示部が前記突き当て体から前記目盛付きガイド体に至る押え板の上面に円弧状に表示され、前記角度目盛表示部と勾配尺目盛表示部の近傍に窓孔が形成されていると共に、所望する勾配角度で被切断物を切断するには、前記突き当て体を前記角度調整スライド体をつまんでスライドさせ、他方前記突き当て体を前記ガイド体に対し、直角状の位置に復帰せしめると、嵌着部が嵌合もしくは嵌着し、嵌合後は前記回動基軸部と前記角度調整スライド体とを緊締し、前記突き当て体と押え板とが固定し、前記突き当て体と前記ガイド体とを直角状に確実に固着できる丸鋸定規ガイドカッターなので、前記角度調整スライド体をつまんで、前記ガイド体の方向にスライドさせることによって、前記突き当て体を前記目盛付きガイド体に対し、直角状態から所望する勾配角度にスライドさせることができる。そのため、前記突き当て部の突き当て部を被切断物の端部に当接せしめて前記目盛付きガイド体を所望する勾配角度に簡単にして、且つ迅速にセットさせることができる利点がある。
【００１２】
さらに本発明の丸鋸定規ガイドカッターは、被切断物を所望の勾配角度に前記ガイド体をセットして、被切断物の切断作業をスムーズに行うことができる優れた利点がある。
【００１３】
また本発明は、前記角度調整スライド体をつまんで、前記突き当て体を前記ガイド体に対し直角状（９０度）に復元させると、凹部と凸部等より構成されている前記嵌着部が嵌合もしくは嵌着し合って、前記突き当て体がガイド体に対し直角状態に確実且つ強固に固着ができる従来の丸鋸定規ガイドカッターになかった優れた利点を多数併有している。
【００１４】
本発明は、前記回動基軸部が、弛緩もしくは緊締せしめることができると共に、前記角度調整スライド体も弛緩もしくは緊締せしめることができる構造とする丸鋸定規ガイドカッターなので、前記と同じ発明を有している。
【００１５】
さらに、回動基軸部と角度調整スライド体が、共通して弛緩もしくは緊締させることができるので、前記本発明の構成上の要素である突き当て体を直角状態にて固定させたり、前記突き当て体を所望勾配角度にスムーズに固定させることができると共に、前記突き当て体を所望勾配角度に確実且つ強固な固定状態を確保しながら被切断物のカッティング作業ができる利点を有している。
【００１６】
本発明は、前記押え板の内側部に形成の誘導窓孔部が、前記角度調整スライド体のスライドがスムーズに回動可能な円弧状にて形成されている前記突き当て部から前記目盛付きガイド体に至る押え板の上面に円弧状に表示され、前記角度目盛表示部と勾配尺目盛表示部の近傍に窓孔が形成されている丸鋸定規ガイドカッターなので、前記と同じ効果を有している。
【００１７】
さらに、本発明は前記誘導窓孔部が円弧状にて形成されているので、前記突き当て体と一体となって取着されていて離脱することなく、前記角度調整スライド体をスムーズにスライドさせると共に、カッティング作業性に優れた利点がある。
【００１８】
本発明は、前記突き当て体の一端部に設けた前記回動基軸部と前記角度調節スライド体の近傍の突き当て体側に嵌合凹部を、前記押え板側に前記嵌合凹部に嵌合する凸部を夫々設けた丸鋸定規ガイドカッターなので、前記角度調整スライド体をつまんで前記突き当て体を前記ガイド体に対し、直角状（９０度）の位置に復帰せしめると、前記凹部と前記凸部同士が嵌合し、前記のようにして嵌合後は前記回動基軸部と前記角度調整スライド体とを緊締することができる。そのため、前記突き当て体と前記ガイド体とが直角状に確実に固着できるので、前記突き当て体がぐらつくことがない。
【図面の簡単な説明】
【００１９】
【図１】本発明丸鋸定規ガイドカッターの正面図である。
【００２０】
【図２】同ガイドカッターの一部切欠拡大正面図である。
【００２１】
【図３】同ガイドカッターの背面図である。
【００２２】
【図４】同ガイドカッターの背面斜視図である。
【００２３】
【図５】同ガイドカッターの一部切欠拡大背面図である。
【００２４】
【図６】換算表の拡大正面図である。
【発明を実施するための最良の形態】
【００２５】
請求項１に記載の発明の実施に関する実施例は、共通しているので一括して以下のとおり説明する。
【００２６】
図において、符号ａは丸鋸定規ガイドカッターであり、以下の構成からなっている。
【００２７】
符号１は、本発明丸鋸定規ガイドカッターａを構成する構成部材の１つである直線状の目盛１ａ付きガイド体（図１）である。このガイド体１の長さは限定的ではない。
【００２８】
２は前記ガイド体１の裏面部１ｂに右側端部が固着されている本考案の丸鋸定規ガイドカッターａの構成部材の１つである押え板である。
【００２９】
この押え板２は、図面図示の大きさに限定されるものではないが、通常前記ガイド体１の裏面部１ｂに止め具を介して強固に固着されている。
【００３０】
４は図において、本発明丸鋸定規ガイドカッターａを構成する構成部材の１つである直線状をした突き当て体であり以下の構成からなっている。
【００３１】
この突き当て体４は、前記押え板２の下辺部２ａの裏面部２ｂに前記ガイド体１に対し直線状に取着されている。
【００３２】
５は前記ガイド体１寄りの突き当て体４の一端部４ａに突設した回動基軸部である。
【００３３】
この回動基軸部５は、前記ガイド体１の裏面部１ｂと前記押え板２より突設するネジ付きボルト５ａと雌ネジ５ｃを刻設したナット５ｂとから構成されている。
【００３４】
そして、前記ボルト５ａを前記突き当て体４の水平板状部４ｅに形成する小孔４ｆより貫通させて前記ナット５ｂと螺着させ組立てる。
【００３５】
前記突き当て体４は、図面図示のとおり、前面に突き当て部４ｃが形成され、上面部４ｄと、側面部４ｈと、底面部４ｉと、且つ前記底面部４ｉを水平状に延設して小孔４ｆを有する水平板状部４ｅからなっている。
【００３６】
さらに前記突き当て体４は、前記突き当て部４ｃと上面部４ｄと側面部４ｈと底面部４ｉによって四角柱形状にして、中空状部が形成されている。
【００３７】
６は前記突き当て体４の他端部４ｂに、前記押え板２の内側部に設けた細長状誘導窓孔部７より前記押え板２の上面２ｃに突出する角度調整スライド体である。
【００３８】
そして、前記角度調整スライド体６は、前記突き当て体４の上面部４ｄの孔部４ｇから挿入するネジ付きボルト６ａを、前記突き当て体４の底面部４ｉに形成する小孔６ｂより貫通し螺着する。
【００３９】
前記のようにして螺着したネジ付きボルト６ａは、前記押え板２の誘導窓孔部７から前記押え板２の上面２ｃに突設し、ワッシャー６ｅを嵌込み、別設する雌ネジ６ｃを内設するナット６ｄとを螺着する。
【００４０】
その際前記誘導窓孔部７の形状は、前記角度調整スライド体６が、前記回動基軸部５を支点にしてスムーズにスライド可能な形状にて形成させることが重要である。
【００４１】
前記回転基軸部５と前記角度調整スライド体６は、夫々弛緩したり、あるいは緊締することができる構成である。
【００４２】
前記押え板２の実施例を説明すると以下のとおりである。
【００４３】
前記押え板２の上面２ｃには、角度目盛８が表示された角度目盛表示部９と、寸勾配目盛１０が表示された勾配尺目盛表示部１１が付記されている。
【００４４】
前記角度目盛表示部９が上段に、前記勾配尺目盛表示部１１が下段に付記されている。
【００４５】
さらに、前記目盛表示部９、１１は、夫々前記突き当て体４から前記目盛１ａ付きガイド体１に至る押え板２の上面２ｃに円弧状に表示されている。
【００４６】
前記角度目盛表示部９と勾配尺目盛表示部１１の近傍には、窓孔１２が、複数形成されている。
【００４７】
１５は、前記角度目盛表示部９と勾配尺目盛表示部１１に付記した角度目盛８と寸勾配目盛１０が、簡単にして、且つ確実に確認することができるシール状の換算表である。
【００４８】
前記突き当て体４の一端部に設けた前記回動基軸部５と前記角度調整スライド体６の近傍には、突き当て体４側に嵌合凹部１３、１３ａを、前記押え板２側には、前記嵌合凹部１３、１３ａに嵌合する凸部１４、１４ａを夫々設ける。
【００４９】
そのため、前記嵌合凹部１３、１３ａと凸部１４、１４ａが嵌合し合うと、前記突き当て体４が前記ガイド体１に対し直角状態となったことが確実に判る。
【００５０】
さらに、本発明においては、前記嵌合凹部１３、１３ａと凸部１４、１４ａによる嵌着手段以外の嵌着手段は実施例として図面上図示していないが、前記突き当て体４が押え板２との間に確実にして、且つ強固に嵌合もしくは嵌着しておればよい。
【００５１】
上記のような実施形態を有する本発明の丸鋸定規ガイドカッターを使用するときの一例を説明すると以下のとおりである。
【００５２】
前記突き当て体４をガイド体１に対し、直角状にして被切断物（図示なし）を切断するときは、前記回動基軸部５と前記角度調整スライド体６を緊締状態にする。
【００５３】
他方、被切断物（図示なし）を所望する勾配角度にて切断するときは、前記回動基軸部５と前記突き当て体４を弛緩させ、前記角度調整スライド体６を手指でつかみながら、前記ガイド体１の方向にスライドし、所望する勾配角度、例えば２寸勾配にて被切断物を切断したいときは、角度目盛表示部９の１１．３°の角度目盛８に前記突き当て体４の突き当て部４ｃを当ててやる。その際窓孔１２より前記突き当て体４の突き当て部４ｃが良く見えるので、非常に判り易い。
【００５４】
前記突き当て体４を所望する勾配角度にセッティングせしめたいときには、前記角度調整スライド体６を緊締すると、確実に固着できる。そのため所望勾配角度でのカッティング作業がスムーズに施工できる。
【００５５】
前記作業終了後は、前記角度調整スライド体６を弛緩せしめる押え板２の下辺部２ａ方向にスライドさせることによって、前記突き当て体４が押え板２と嵌合もしくは嵌着し合うことによってガイド体１に対し直角状に復元できる。復元後は角度調整スライド体６等を緊締する。前記所望勾配角度は、換算表１５を見ることによって直ちに確認できるので極めて便利である。
【符号の説明】
【００５６】
ａ      丸鋸定規ガイドカッター
１      ガイド体
１ａ    目盛
１ｂ    裏面部
２      押え板
２ａ    下辺部
２ｂ    裏面部
２ｃ    上面
３      取手
４      突き当て体
４ａ    一端部
４ｂ    他端部
４ｃ    突き当て部
４ｄ    上面部
４ｅ    水平板状部
４ｆ    小孔
４ｇ    孔部
４ｈ    側面部
４ｉ    底面部
５      回動基軸部
５ａ    ボルト
５ｂ    ナット
５ｃ    雌ネジ
６      角度調整スライド体
６ａ    ボルト
６ｃ    雌ネジ
６ｄ    ナット
６ｅ    ワッシャー
７      誘導窓孔部
８      角度目盛
９      角度目盛表示部
１０    寸勾配目盛
１１    勾配尺目盛表示部
１２    窓孔
１３    嵌合凹部
１３ａ  嵌合凹部
１４    凸部
１４ａ  凸部
１５    換算表
【要約】
【課題】突き当て体が他の構成部材であるガイド体に対し、被切断物に対する所望の傾斜角度である鋭角を極めて簡単且つ迅速に求める。
【解決手段】ガイド体１寄りの突き当て体４の一端部４ａに、回動基軸部５を突設し、他端部４ｂに、押え板２の内側部に設けた細長状誘導窓孔部７より押え板２の上面に突出する角度調整スライド体６を取着する。角度目盛８が表示された角度目盛表示部９と寸勾配目盛１０が表示された勾配尺目盛表示部１１が突き当て体４から目盛１ａ付きガイド体１に至る押え板２の上面２ｃに円弧状に表示され、角度目盛表示部９と勾配尺目盛表示部１１の近傍に窓孔１２が形成されている。
【選択図】    図１【図１】
0005900769.tif 000002
【図２】
0005900769.tif 000003
【図３】
0005900769.tif 000004
【図４】
0005900769.tif 000005
【図５】
0005900769.tif 000006
【図６】
0005900769.tif 000007